(57)【要約】【課題】早期に目詰りを生ずることなく、排泥等から泥水分のみを効率よく吸引除去したり回収できるようにする。【解決手段】本発明は、水中ポンプ９を介して排泥等から泥水を吸引して除去したり回収するようなときに用いられる泥水圧送装置１であって、浮力体２と、前記浮力体２の上部に配設されているバイブレータ保持用の固定プレート４と、前記浮力体２の下部に配設されて水中ポンプ用配置空間の内外を区画している濾過用のスクリーン８と、前記スクリーン８内の配置空間に設けられた前記水中ポンプ９と、前記固定プレート４上に設けられたバイブレータ１４とを備えている。【選択図】      図２
2008202456.tif 000002
【特許請求の範囲】
【請求項１】
水中ポンプを介して排泥等から泥水を吸引して除去したり回収するようなときに用いられる泥水圧送装置であって、
浮力体と、前記浮力体の上部に配設されているバイブレータ保持用の固定プレートと、前記浮力体の下部に配設されて水中ポンプ用配置空間の内外を区画している濾過用のスクリーンと、前記スクリーン内の配置空間に設けられた前記水中ポンプと、前記固定プレート上に設けられたバイブレータとを備えたことを特徴とする泥水圧送装置。
【請求項２】
前記浮力体は、浮環および該浮環を支持している浮環支持枠を有しており、前記浮環支持枠の上部に複数の上脚杆を介して前記固定プレートを支持しているとともに、前記浮環支持枠の下部に複数の下脚杆を設け、該下脚杆同士の間および底部に前記スクリーンを張設していることを特徴とする請求項１に記載の泥水圧送装置。
【請求項３】
前記水中ポンプの出口に接続されて、前記固定プレートの略中心を摺動可能に貫通して上方へ突出している排出管を有していることを特徴とする請求項１又は２に記載の泥水圧送装置。
【請求項４】
前記排出管は、頂部がエルボおよびホースジョイントを介してホースに接続されるとともに、前記エルボに設けられた吊り下げ用の突片部材を有していることを特徴とする請求項３に記載の排泥回収装置。
【請求項５】
前記固定プレートの下部において、前記排出管の外周に一体化されたばね受けと、前記排出管の外周に介挿されているとともに、下端を前記ばね受けに着座し、上端を前記固定プレートの下面側に当接している圧縮コイルばねとを有していることを特徴とする請求項３又は４に記載の泥水圧送装置。
【発明の詳細な説明】
【技術分野】
【０００１】
本発明は、例えば、地盤改良や建設現場などで貯留部や槽内に集められた汚泥や排泥等から水分を多く含む泥水を水中ポンプを介して吸引して除去したり回収する場合に好適な泥水圧送装置に関する。
【背景技術】
【０００２】
従来技術として、特許文献１に開示されているように水中ポンプおよびフロート材が一体に組み合わされて、水面上に浮遊した状態で揚水を行う装置が知られている。この揚水装置は、主に増水した河川の水位調節のために水面に浮べつつ、排水を行うために用いられるものである（以下、これを浮遊式水中ポンプという）。
【０００３】
ところで、地盤改良や建設現場などで発生する排泥は、そのまま廃棄するか、或いは水分を脱水除去した上で建設残土として産廃処理する場合と、各種の再生処理方法（例えば、特許第３１５０４５３号や特許第３６０５７０９号を参照）により対象の排泥に固化材などを添加して強度を増した流動性改良土として利用する場合もある。
【０００４】
以上のように排泥を産廃処理したり、再生使用する場合の何れであっても、含水分を分離する必要がある。この分離方法としては、沈降現象を利用して比重の小さな上層の泥水だけを上記した浮遊式水中ポンプで吸引除去したり、排泥（や一次分離後の泥水）に凝集剤液を添加して上層の泥水と、下層の沈降成分とに分離した上で、上澄みの泥水だけを上記した浮遊式水中ポンプを用いて吸引して除去したり回収することが考えられる。
【特許文献１】特開閉１１−２８７１９４号公報
【発明の開示】
【発明が解決しようとする課題】
【０００５】
しかしながら、上記した浮遊式水中ポンプにより排泥から上層側の泥水を吸引除去したり回収するといっても、実際にはポンプ入口から吸い込んだ下層側の泥土などがポンプハウジング内のインペラーに付着したり、かみ込み現象によって正常な吸引作動を維持し難くなる。また、この対策として、泥土などの侵入を防止するためポンプの入口側にフィルターを取り付けることもあるが、泥土などがそのフィルターに付着して、早期に目詰りを生じ、その都度、フィルターの交換や付着物の除去などの作業が必要で、メンテナンスを頻繁に行わなくてはならず、効率的な除去や回収が期待できなかった。
【０００６】
本発明は、以上のような課題を解決するものであり、簡単な構造であって、早期に目詰りを生ずることなく、例えば、排泥から泥水分だけを効率的に圧送したり回収可能にした泥水圧送装置を提供するものである。
【課題を解決するための手段】
【０００７】
上記目的を達成するため本発明は、図面を参照して特定すると、水中ポンプ９を介して排泥等から泥水を吸引して除去したり回収するようなときに用いられる泥水圧送装置１であって、浮力体２と、前記浮力体２の上部に配設されているバイブレータ保持用の固定プレート４と、前記浮力体２の下部に配設されて水中ポンプ用配置空間の内外を区画している濾過用のスクリーン８と、前記スクリーン８内の配置空間に設けられた前記水中ポンプ９と、前記固定プレート４上に設けられたバイブレータ１４とを備えたことを特徴としている。
【０００８】
なお、本発明において、「排泥」とは、自然沈降により比重の小さな泥水側および比重の大きな泥土側に分離可能な泥状物で、建設汚泥処理土利用技術基準（国土交通省）で規定している「建設汚泥」を含む。また、「泥水」とは、そのまま下水道や河川に放流すると水質汚濁などの公害要因の有無にかかわらず、前記排泥等から分離された上層側の水ないしは土等の微細粒分で汚れている水を含む広義なものである。
【０００９】
上記した本発明の泥水圧送装置は次のように具体化されることがより好ましい。
（ア）、前記浮力体は、浮環２および該浮環を支持している浮環支持枠３を有しており、前記浮環支持枠３の上部に複数の上脚杆５を介して前記固定プレート４を支持しているとともに、前記浮環支持枠３の下部に複数の下脚杆６を設け、該下脚杆６同士の間および底部に前記スクリーン８を張設している構成である（請求項２）。
（イ）、前記水中ポンプの出口に接続されて、前記固定プレートの略中心を摺動可能に貫通して上方へ突出している排出管１０を有している構成である（請求項３）。
【００１０】
（ウ）、前記排出管１０は、頂部がエルボ１５およびホースジョイント１６を介してホース１７に接続されるとともに、前記エルボ１５に設けられた吊り下げ用の突片部材１８を有している構成である（請求項４）。
（エ）、前記固定プレート４の下部において、前記排出管１０の外周に一体化されたばね受け１１と、前記排出管１０の外周に介挿されているとともに、下端を前記ばね受け１１に着座し、上端を前記固定プレート４の下面側に当接している圧縮コイルばね１２とを有している構成である（請求項５）。
【発明の効果】
【００１１】
請求項１の発明では、泥水中に浮遊状態に配置した後、バイブレータを駆動することにより、装置の周囲に振動が生じ、泥土が完全分離されていない揺変性（チキソトロピック）の状態であっても、振動による液状化現象によって、装置周囲の振動の影響を及す範囲に水が集り、この状態で水中ポンプを稼働すれば、泥水のみを効率よく除去したり回収できる。また、この装置構成では、スクリーンに粗粒分を含む泥土などが付着しても、スクリーン自体が振動篩として機能し、振るい落とされやすくなるため、目詰りがおき難くメンテナンス回数を激減できる。
【００１２】
請求項２の発明では、浮環支持枠と上脚杆および下脚杆による装置の骨格構造によって、破損し難い剛体構造で、かつ装置周囲にバイブレータの振動が伝達されやすい構造を実現できる。
【００１３】
請求項３の発明では、水中ポンプが竪型で、排出管を固定プレートに下から上へ貫通しているため、排出管用の支持部材を省略したり請求項４のように更に展開可能となる。すなわち、請求項４の発明では、移送用ホースをホースジョイントを介して最適な状態で接続可能となったり、例えば、以上の装置をバックホウなどの機器類で吊り下げて使用する場合、排出管に接続されているエルボを利用して最適状態で吊り下げ可能となる。
【００１４】
請求項５の発明では、バイブレータの振動が圧縮コイルばねの減衰作用により、水中ポンプに直に作用することがなくなって、水中ポンプに対する振動の影響を減少し、装置の信頼性を向上できる。
【発明を実施するための最良の形態】
【００１５】
本発明の好適な実施形態について添付図面を参照して説明する。この説明では、図１と図２を参考にして本発明を適用した泥水圧送装置の構造を詳述した後、図３に示した装置の使用例に言及する。
【００１６】
（構造）図１と図２の泥水圧送装置１は、浮力体としての浮環２および浮環２を保持している浮環支持枠３と、浮環支持枠３の上側を構成している複数の上脚杆５に配設されている固定プレート４と、浮環支持枠３の下側を構成している複数の下脚杆６および各下脚杆６の下端に連結されている円環状の下連結枠７と、各下脚杆６の外側および下連結枠７の下側を覆って水中ポンプ用配置空間を区画している濾過用のスクリーン８と、スクリーン８内の配置空間に設けられた水中ポンプ９と、固定プレート４上に設けられたバイブレータ１４とを備えている。
【００１７】
ここで、浮環２は、樹脂成形品であり、水中ポンプ９の外周囲よりかなり大きな外径からなる環状に形成されている。浮環支持枠３は、図２に示されるように、浮環２を内側に拘束した状態で保持し、上周囲部から複数の上脚杆５を斜め上方へ突出をしているとともに、下周囲部からも複数の下脚杆６を斜め下方へ突出している。各上脚杆５と各下脚杆６は、浮環支持枠３の周囲にそれぞれ等間隔に設けられている。各上脚杆５は、上に行くほど互いに近づく傾きで突出され、上端が矩形の固定プレート４に一体化されている。
【００１８】
固定プレート４は、複数の上脚杆５で略水平に支持された状態となっており、中心に設けられた貫通孔４ａと、該貫通孔４ａに装着された略筒形のゴムプッシュ１３を有している。ゴムブッシュ１３は、例えば、後述する排出管１０を摺動可能に挿通することにより、泥水の貫通孔４ａを介した固定プレート４上への跳ね上がりを防止可能にする。以上の固定プレート４上には、ゴムブッシュ１３の両側に位置して、一対のバイブレータ１４がボルトなどの適宜な取付手段を介して固定されている。各バイブレータ１４は市販品であり、振動強度が多段に切換可能となっている。
【００１９】
浮環支持枠３の各下脚杆６は、下に行くほど互いに近づく傾きで突出されるとともに、各下端同士を連結した上下一対の円環状の下連結枠７を有している。各下脚杆６および下連結枠７の外周および底部側はスクリーン８で覆われている。
【００２０】
スクリーン８は、所定メッシュの金網が用いられているが、金網以外のメッシュ形成部材でもよい。そして、スクリーン８は、各下脚杆６および下連結枠７等に対応部を装着した状態で下脚杆６同士の間および下連結枠７の底部に張設されており、浮環２より下側（各下脚杆６および下連結枠７）、つまり水中ポンプ用の配置空間ないしは下部浸漬部分の内外を区画している。該配置空間には水中ポンプ９が配置されている。
【００２１】
水中ポンプ９は、竪型遠心式であり、下部外周を入口（吸引口）とし、ハウジング内に泥水取入れ用の図示しないインペラーおよび該インペラーに直結した駆動用モータなどを内蔵している。水中ポンプ９の上部中心には、出口（排出口）が設けられ、該出口に対し排出管１０が一体に突設されている。
【００２２】
排出管１０は、固定プレート４に対し前記したゴムプッシュ１３を介して上下に摺動可能に貫通している。そして、排出管１０には、図２に示されるように、固定プレート４の下部側にあって、排出管１０の外周に鍔状に装着されているばね受け１１と、排出管１０をコイル径内に挿通した状態でばね受け１１と固定プレート４との間に配置されている圧縮コイルばね１２とを有している。圧縮コイルばね１２は、下端がばね受け１１に着座し、上端が固定プレート４の下面側に当接されている。
【００２３】
また、排出管１０の上端、つまり固定プレート４上に突出された突出端には逆Ｌ形のエルボ１５（の一端）が結合一体化されている。該エルボ１５の他端には、ホースジョイント１６を介してホース１７が接続されている。エルボ１５の頂部には、吊り下げ用突片部材１８が溶接等により取り付けられている。突片部材１８には装置吊下げ用のワイヤＷの下端が連結される。このワイヤＷには、水中ポンプ９およびバイブレータ１４の各給電用ケーブル１９が絡げられる。そして、水中ポンプ９およびバイブレータ１４は、電源側のオン・オフ操作により各ケーブル１９などを介してそれぞれが独立して駆動される。
【００２４】
（使用例）以上の排泥回収装置１を用いた泥水の除去ないしは回収手順について、図３を用いて明らかにする。図３の用途は、建設工事現場に掘削した、いわゆる釜場と称される排泥用貯留ピットＰに集められた排泥で、沈降現象により上層に溜まる泥水を回収するときの手順例である。つまり、貯留ピットＰの排泥は、静置されることで、泥水分を多く含む上層と、粗粒分を多く含む下層に分離されている。なお、図３では理解しやすくするため、完全分離している状態を示しているが、実際にはこのように明確に分離されず不明瞭な境界となっている。
【００２５】
まず、準備操作としては、図３（ａ）に示されるように、泥水圧送装置１がバックホウ２０などの先端に吊下げられた状態で貯留ピットＰ内の泥水中に投入され、ホース１７がその先端側を不図示の回収槽などへ配置される。この状態では、ワイヤＷの吊下げによる張力が取り除かれ、図２からも分かるように、浮環２の浮力により、水中ポンプ９が泥水中に浸漬し、浮環支持枠３の上半部が液面ＷＬ上に浮び、固定プレート４およびバイプレータ１４が空中に露出される。以上の浮遊状態において、泥水圧送装置１は、バイブレータ１４が左右一対であるため浮力バランスが均等であり、また、水中ポンプ９が浸漬状態であるため重心も釣り合い、ほぼ水平状態に安定して浮遊する。
【００２６】
図３（ｂ）は、以上の浮遊状態において、バイブレータ１４を駆動したときの状態を模式的に示している。バイブレータ１４の振動は、固定プレート４側から、上脚杆５−浮環支持枠３−下脚杆６並びに下連結枠７およびスクリーン８へと伝達されつつ周囲の泥水に伝達される。
【００２７】
これに対し、水中ポンプ９は、排出管１０がゴムプッシュ１３を介して固定プレート４に接触したり圧縮コイルばね１２の存在によりバイブレータ１４からの振動を減衰して、大きな振動を受けないようになっている。すなわち、この構造では、バイブレータ１４からの振動に伴う、水中ポンプ９側の悪影響を極力抑えられるようになっている。そして、上記した振動により、泥水は揺変状態となって液状化現象を生じ、泥水圧送装置１の振動の影響が大きな範囲では、図３（ｂ）中、破線で囲う範囲に示したようにごく微細粒分を含む水のみが存在し、粗粒分を含む箇所とは隔離される。
【００２８】
従って、振動状態で水中ポンプ９を駆動することにより、スクリーン８を通過する微細粒分を含む水、つまり泥水のみが吸い込まれて除去されたり回収される。なお、この吸引作業中に、土等の粗粒分がスクリーン８に付着したとしても、スクリーン８はそれ自身が振動篩として機能し、スクリーン面から強制剥落するため目詰りを生じない。
【００２９】
図３（ｃ）は以上の泥水の除去や回収作業が進んで、上澄み分がなくなるまで継続された後の作業を示している。すなわち、貯留ピットＰには、残余の排泥分（泥土など）のみがピット底面に残るため、泥水圧送装置１を撤去し、別の掘削用バックホウ２１により、その残滓分を掘削除去することにより、１作業サイクルを終了する。回収された排泥は含水分が低く、減容化されているため、例えばダンプトラックで運搬して産廃処理する場合にはその処理費用を削減でき、また、添加材を加えて再生処理土として再利用する場合にも極めて有利なものとなる。
【００３０】
なお、以上の形態は本発明を何ら制約するものではない。本発明は、請求項１で特定される技術要素を備えておればよく、細部は必要に応じて種々変更してり、展開可能なものである。その一例としては、本発明の浮力体として、円環状の浮環を用いたが、それに代えて発泡材などの低比重材料からなる浮体を用いてもよく、更にその形状も円環状に限定されるものでなく、四角形状なども採用できることは勿論である。
【図面の簡単な説明】
【００３１】
【図１】本発明形態の泥水圧送装置を示す概略斜視図である。
【図２】図１の泥水圧送装置の概略断面図である。
【図３】（ａ）〜（ｃ）は上記装置を用いた泥水除去又は回収手順を示す模式図である。
【符号の説明】
【００３２】
１…泥水圧送装置
２…浮環（浮力体）
３…浮環支持枠（浮力体）
４…固定プレート（４ａは貫通孔）
５…上脚杆
６…下脚杆
８…濾過用スクリーン
９…水中ポンプ
１０…排出管
１１…ばね受け
１２…圧縮コイルばね
１４…バイブレータ
１５…エルボ
１６…ホースジョイント
１７…ホース
１８…吊り下げ用突片部材
Ｗ…吊り下げ用ワイヤ
【図１】
2008202456.tif 000003
【図２】
2008202456.tif 000004
【図３】
2008202456.tif 000005